(57)【要約】【課題】各液滴吐出ヘッドの湾曲量の違いによって発生する液滴の吐出領域のずれを是正することができる液滴吐出装置、及びこれを備えた画像形成装置を得る。【解決手段】液滴吐出ヘッドの周辺温度が規定値以上の場合は、ステップ２０８で、液滴吐出ヘッドの周囲の環境温度と液滴吐出ヘッドの湾曲量とを関連付けた第１湾曲量変換テーブルから各液滴吐出ヘッドの湾曲量を湾曲量取得部が取得する。ステップ３００では、ステップ２０８で取得した湾曲量に基づいて算出された最小の吐出領域を基準領域として決定し、ステップ３０２に移行し、印字データに補正をかける。つまり、基準領域内にある他の液滴吐出ヘッドのノズルから液滴を吐出させ、さらに、色ずれを是正するため、湾曲量に応じて他の液滴吐出ヘッドの解像度を下げる。このように、各液滴吐出ヘッドの湾曲量に応じて印字データを補正することで色ずれをなくすことができる。【選択図】図１
2008062391.tif 000002
【特許請求の範囲】
【請求項１】
液滴を吐出するノズルを複数備えたヘッドユニットと、前記ヘッドユニットが列状に配列された液滴吐出ヘッドと、を備え、前記液滴吐出ヘッドを液滴吐出対象物の搬送方向と交差して並列に配置した液滴吐出装置において、
前記液滴吐出ヘッドの両端を固定する固定支承と、
前記液滴吐出対象物の搬送方向の熱変形による前記液滴吐出ヘッドの各湾曲量を取得する湾曲量取得手段と、
前記湾曲量取得手段で取得された各湾曲量に基づいて算出された前記液滴吐出対象物の搬送方向から見た最小の吐出領域を基準領域とし、前記湾曲量取得手段が取得した前記湾曲量に基づいて前記基準領域内にある各液滴吐出ヘッドのノズルから液滴を吐出させる印字制御手段と、
を有することを特徴とする液滴吐出装置。
【請求項２】
液滴を吐出するノズルを複数備えたヘッドユニットと、前記ヘッドユニットが列状に配列された液滴吐出ヘッドと、を備え、前記液滴吐出ヘッドを液滴吐出対象物の搬送方向と交差して並列に配置した液滴吐出装置において、
前記液滴吐出ヘッドの両端を固定する固定支承と、
前記液滴吐出対象物の搬送方向の熱変形による前記液滴吐出ヘッドの各湾曲量を取得する湾曲量取得手段と、
作動保証温度内での予め決められた最小の吐出領域を基準領域とし、前記湾曲量取得手段が取得した前記湾曲量に基づいて前記基準領域内にある各液滴吐出ヘッドのノズルから液滴を吐出させる印字制御手段と、
を有することを特徴とする液滴吐出装置。
【請求項３】
前記湾曲量取得手段は、搬送方向と交差する方向の熱変形による前記液滴吐出ヘッドの各湾曲量を取得し、前記印字制御手段は、前記基準領域内にある各液滴吐出ヘッドのノズルから液滴を吐出させることを特徴とする請求項１又は２記載の液滴吐出装置。
【請求項４】
前記ノズルはインクを吐出し、前記印字制御手段は、前記基準領域に合わせて印字データを補正して液滴吐出ヘッドの解像度を下げることを特徴とする請求項１乃至３何れか１項に記載の液滴吐出装置。
【請求項５】
前記ノズルはインクを吐出し、前記印字制御手段は、前記湾曲量取得手段で取得された湾曲量に基づいて、前記ノズルから吐出されるインク滴の滴径を前記液滴吐出ヘッド毎に変えることを特徴とする請求項１乃至４何れか１項に記載の液滴吐出装置。
【請求項６】
前記ノズルはインクを吐出し、前記印字制御手段は、前記湾曲量取得手段で取得された湾曲量に基づいて、前記ノズルから吐出されるインク滴の滴径を前記ノズル毎に変えることを特徴とする請求項１乃至５何れか１項に記載の液滴吐出装置。
【請求項７】
前記ノズルはインクを吐出し、前記印字制御手段は、前記湾曲量取得手段で取得された湾曲量に基づいて、前記ノズルから吐出される主インク滴に付随させて微小滴を吐出させることを特徴とする請求項１乃至６何れか１項に記載の液滴吐出装置。
【請求項８】
前記ノズルはインク滴を吐出し、前記印字制御手段は、前記湾曲量取得手段で取得された湾曲量に基づいて、前記ノズルから吐出させる前記インク滴の吐出タイミングを変えることを特徴とする請求項１乃至７何れか１項に記載された液滴吐出装置。
【請求項９】
前記液滴吐出ヘッドの周辺の環境温度が規定値以上になったとき、前記湾曲量取得手段が前記液滴吐出ヘッドの湾曲量を取得して、前記印字制御手段が前記基準領域内にある前記ノズルから液滴を吐出させることを特徴とする請求項１乃至８何れか１項に記載された液滴吐出装置。
【請求項１０】
前記液滴吐出ヘッドの温度が規定値以上になったとき、前記湾曲量取得手段が前記液滴吐出ヘッドの湾曲量を取得して、前記印字制御手段が前記基準領域内にある前記ノズルから液滴を吐出させることを特徴とする請求項１乃至８何れか１項に記載された液滴吐出装置。
【請求項１１】
印字枚数が規定値以上になったとき、前記湾曲量取得手段が前記液滴吐出ヘッドの湾曲量を取得して、前記印字制御手段が前記基準領域内にある前記ノズルから液滴を吐出させることを特徴とする請求項４乃至８何れか１項に記載された液滴吐出装置。
【請求項１２】
印字毎に、前記湾曲量取得手段が前記液滴吐出ヘッドの湾曲量を取得して、前記印字制御手段が前記基準領域内にある前記ノズルから液滴を吐出させることを特徴とする請求項４乃至８何れか１項に記載された液滴吐出装置。
【請求項１３】
前記湾曲量取得手段は、前記液滴吐出ヘッドの周囲の環境温度と前記液滴吐出ヘッドの湾曲量とを関連付けた第１湾曲量変換テーブルと、温度センサによって測定された前記液滴吐出ヘッドの周囲の環境温度と、によって前記液滴吐出ヘッドの湾曲量を取得することを特徴とする請求項１乃至１２何れか１項に記載された液滴吐出装置。
【請求項１４】
前記湾曲量取得手段は、前記液滴吐出ヘッドの温度と前記液滴吐出ヘッドの湾曲量を関連付けた第２湾曲量変換テーブルと、温度センサによって測定された前記液滴吐出ヘッドの温度と、によって前記液滴吐出ヘッドの湾曲量を取得することを特徴とする請求項１乃至１２何れか１項に記載された液滴吐出装置。
【請求項１５】
前記湾曲量取得手段は、印字データと前記液滴吐出ヘッドの湾曲量を関連付けた第３湾曲量変換テーブルと、画像データから生成される印字データと、によって前記液滴吐出ヘッドの湾曲量を取得することを特徴とする請求項４乃至１２何れか１項に記載された液滴吐出装置。
【請求項１６】
前記湾曲量取得手段は、前記液滴吐出ヘッドの上下面の伸縮量又は撓み量を検出する第１検出器の検出信号に基づいて前記液滴吐出ヘッドの湾曲量を取得することを特徴とする請求項１乃至１２何れか１項に記載された液滴吐出装置。
【請求項１７】
前記湾曲量取得手段は、前記ノズルから前記液滴吐出対象物に吐出された液滴の位置を検出する第２検出器の検出信号に基づいて前記液滴吐出ヘッドの湾曲量を取得することを特徴とする請求項１乃至１２何れか１項に記載された液滴吐出装置。
【請求項１８】
請求項１乃至１７何れか１項に記載された液滴吐出装置が設けられたことを特徴とする画像形成装置。
【発明の詳細な説明】
【技術分野】
【０００１】
本発明は、液滴を吐出する液滴吐出装置とこれを備えた画像形成装置に関する。
【背景技術】
【０００２】
画像形成装置には、環境温度の変化による記録シート（以下シート材）の伸縮に応じて、印字データを補正するものがある。（特許文献１）
詳細には、温度センサで検知した周囲の温度からシート材がどの程度伸縮するかを中央制御部で計算し、それに応じて倍率調整手段が印字領域を調整するために印字データを補正する。
【０００３】
これにより、画像形成装置に備えられた液滴吐出装置よる印字がシート材からはみ出たり、シート材の画像余白が大きくなったりするのを防止している。
【特許文献１】特開２００４−２０２９３２公報
【発明の開示】
【発明が解決しようとする課題】
【０００４】
確かに、環境温度の変化により、シート材は伸縮するが、それと同様に液滴吐出装置に備えられる液滴吐出ヘッドも変形する。
【０００５】
近年、高速印字に対応するため、シート巾を持つ液滴吐出ヘッドをシート材の搬送方向と直交する方向に固定配置した画像形成装置がある。
【０００６】
さらに、フルカラーに対応するために、この液滴吐出ヘッドをシート材の搬送方向に複数並べて配置している。
【０００７】
このような両端固定された長尺状の液滴吐出ヘッドの場合、各ヘッド間の温度ばらつきにより各色の液滴吐出ヘッドの変形量が相違する。このため各液滴吐出ヘッドの湾曲量が相違し、各色毎に液滴を吐出する吐出領域が変わってしまう。そのため、各液滴吐出ヘッドの吐出領域にずれが発生してしまう。
【０００８】
本発明は、上記事実を考慮し、各液滴吐出ヘッドの湾曲量の違いによって発生する液滴の吐出領域のずれを是正することが目的である。
【課題を解決するための手段】
【０００９】
本発明の請求項１に係る液滴吐出装置は、液滴を吐出するノズルを複数備えたヘッドユニットと、前記ヘッドユニットが列状に配列された液滴吐出ヘッドと、を備え、前記液滴吐出ヘッドを液滴吐出対象物の搬送方向と交差して並列に配置した液滴吐出装置において、前記液滴吐出ヘッドの両端を固定する固定支承と、前記液滴吐出対象物の搬送方向の熱変形による前記液滴吐出ヘッドの各湾曲量を取得する湾曲量取得手段と、前記湾曲量取得手段で取得された各湾曲量に基づいて算出された前記液滴吐出対象物の搬送方向から見た最小の吐出領域を基準領域とし、前記湾曲量取得手段が取得した前記湾曲量に基づいて前記基準領域内にある各液滴吐出ヘッドのノズルから液滴を吐出させる印字制御手段と、を有することを特徴とする。
【００１０】
上記構成によれば、両端が固定された各液滴吐出ヘッドは、熱変形により、液滴吐出対象物の搬送方向から見て湾曲する。
【００１１】
湾曲量取得手段は、液滴吐出ヘッドの湾曲量を取得し、印字制御手段は、湾曲量取得手段で取得された湾曲量に基づいて算出された最小の吐出領域を基準領域として、この基準領域内にある液滴吐出ヘッドのノズルから液滴を吐出させる。
【００１２】
このように、各液滴吐出ヘッドの湾曲量の違いによって発生する液滴の吐出領域の差を是正することがきる。
【００１３】
本発明の請求項２に係る液滴吐出装置は、液滴を吐出するノズルを複数備えたヘッドユニットと、前記ヘッドユニットが列状に配列された液滴吐出ヘッドと、を備え、前記液滴吐出ヘッドを液滴吐出対象物の搬送方向と交差して並列に配置した液滴吐出装置において、前記液滴吐出ヘッドの両端を固定する固定支承と、前記液滴吐出対象物の搬送方向の熱変形による前記液滴吐出ヘッドの各湾曲量を取得する湾曲量取得手段と、作動保証温度内での予め決められた最小の吐出領域を基準領域とし、前記湾曲量取得手段が取得した前記湾曲量に基づいて前記基準領域内にある各液滴吐出ヘッドのノズルから液滴を吐出させる印字制御手段と、を有することを特徴とする。
【００１４】
上記構成によれば、両端が固定された各液滴吐出ヘッドは、熱変形により、液滴吐出対象物の搬送方向から見て湾曲する。
【００１５】
湾曲量取得手段は、液滴吐出ヘッドの湾曲量を取得し、印字制御手段は、作動保証温度内での予め決められた最小の吐出領域を基準領域として、この基準領域内にある各液滴吐出ヘッドのノズルから液滴を吐出させる。
【００１６】
このように、各液滴吐出ヘッドの湾曲量の違いによって発生する液滴の吐出領域の差を是正することがきる。
【００１７】
本発明の請求項３に係る液滴吐出装置は、請求項１又は２記載において、前記湾曲量取得手段は、搬送方向と交差する方向の熱変形による前記液滴吐出ヘッドの各湾曲量を取得し、前記印字制御手段は、前記基準領域内にある各液滴吐出ヘッドのノズルから液滴を吐出させることを特徴とする。
【００１８】
上記構成によれば、両端が固定された各液滴吐出ヘッドは、熱変形により液滴吐出対象物の搬送方向と交差する方向から見て湾曲する。
【００１９】
湾曲量取得手段は、液滴吐出対象物の搬送方向と交差する方向の液滴吐出ヘッドの湾曲量を取得し、印字制御手段は、基準領域内にあるノズルから液滴を吐出させる。
【００２０】
このように、各液滴吐出ヘッドの湾曲量の違いによって発生する液滴の吐出領域の差を是正することがきる。
【００２１】
本発明の請求項４に係る液滴吐出装置は、請求項１乃至３何れか１項に記載において、前記ノズルはインクを吐出し、前記印字制御手段は、前記基準領域に合わせて印字データを補正して液滴吐出ヘッドの解像度を下げることを特徴とする。
【００２２】
上記構成によれば、印字制御手段は、基準領域に合わせて印字データを補正して液滴吐出ヘッドの解像度を下げる。
【００２３】
つまり、各液滴吐出ヘッドが湾曲することで基準領域を算出する際に用いた液滴吐出ヘッドのノズル間隔と比較してノズルの間隔及びノズルから吐出されるインクのインク吐出方向が変わる。この状態でインクを吐出すると液滴吐出ヘッド毎に出力画像にずれが発生する。しかし、印字制御手段が夫々の液滴吐出ヘッドの解像度を下げることで同じ大きさの画像が形成され印字ずれを防止することができる。
【００２４】
本発明の請求項５に係る液滴吐出装置は、請求項１乃至４何れか１項記載において、前記ノズルはインクを吐出し、前記印字制御手段は、前記湾曲量取得手段で取得された湾曲量に基づいて、前記ノズルから吐出されるインク滴の滴径を前記液滴吐出ヘッド毎に変えることを特徴とする。
【００２５】
上記構成によれば、印字制御手段は、湾曲量に基づいてノズルから吐出されるインク滴の滴径を液滴吐出ヘッド毎に変える。
【００２６】
つまり、液滴吐出ヘッドが上方に凸状に湾曲して液滴吐出対象物の単位面積当りに吐出されるインク滴が多い場合は、インク滴の滴径を液滴吐出ヘッド毎に小さくし、逆に、液滴吐出ヘッドが下方に凸状に湾曲して単位面積当りのインク滴の数が少ない場合は、インク滴の滴径を液滴吐出ヘッド毎に大きくする。これにより、各液滴吐出ヘッド間において単位面積当りのインク量を均一化し、効果的に狙いどおりの色合いを印字することができる。
【００２７】
本発明の請求項６に係る液滴吐出装置は、請求項１乃至５何れか１項記載において、前記ノズルはインクを吐出し、前記印字制御手段は、前記湾曲量取得手段で取得された湾曲量に基づいて、前記ノズルから吐出されるインク滴の滴径を前記ノズル毎に変えることを特徴とする。
【００２８】
上記構成によれば、印字制御手段は、湾曲量に基づいてノズルから吐出されるインク滴の滴径をノズル毎に変える。
【００２９】
つまり、液滴吐出ヘッドが上方に凸状に湾曲して液滴吐出対象物の単位面積当りに吐出されるインク滴が多い場合は、インク滴の滴径をノズル毎に小さくし、逆に、液滴吐出ヘッドが下方に凸状に湾曲して単位面積当りのインク滴の数が少ない場合は、インク滴の滴径をノズル毎に大きくする。これにより、各液滴吐出ヘッド内において単位面積当りのインク量を均一化し、効果的に狙いどおりの色合いを印字することができる。
【００３０】
本発明の請求項７に係る液滴吐出装置は、請求項１乃至６何れか１項記載において、前記ノズルはインクを吐出し、前記印字制御手段は、前記湾曲量取得手段で取得された湾曲量に基づいて、前記ノズルから吐出される主インク滴に付随させて微小滴を吐出させることを特徴とする。
【００３１】
上記構成によれば、印字制御手段は、湾曲量に基づいてノズルから吐出される主インク滴に付随させて微小滴を吐出させる。
【００３２】
つまり、主インク滴が着弾した回りに付随させて微小滴を吐出させることで縁部の輪郭がぼけるのを防ぐことができる。
【００３３】
本発明の請求項８に係る液滴吐出装置は、請求項１乃至７何れか１項記載において、前記ノズルはインク滴を吐出し、前記印字制御手段は、前記湾曲量取得手段で取得された湾曲量に基づいて、前記ノズルから吐出させる前記インク滴の吐出タイミングを変えることを特徴とする。
【００３４】
上記構成によれば、印字制御手段は、湾曲量に基づいて、ノズルから吐出させるインク滴の吐出タイミングを変える。
【００３５】
つまり、液滴吐出ヘッドが熱変形により湾曲することで、ノズルから液滴吐出対象物までの距離が変化する。この状態で液滴を吐出すると着弾位置のずれが発生する。しかし、印字制御手段が夫々のノズルから吐出されるインクの吐出タイミングを変えることで各色で同じ大きさ及び形状の画像が形成され印字ずれを防止することができる。
【００３６】
本発明の請求項９に係る液滴吐出装置は、請求項１乃至８何れか１項記載において、前記液滴吐出ヘッドの周辺の環境温度が規定値以上になったとき、前記湾曲量取得手段が前記液滴吐出ヘッドの湾曲量を取得して、前記印字制御手段が前記基準領域内にある前記ノズルから液滴を吐出させることを特徴とする。
【００３７】
上記構成によれば、湾曲量取得手段は、液滴吐出ヘッドの周辺の環境温度が規定値以上になったとき、各液滴吐出ヘッドの湾曲量を取得して、印字制御手段が基準領域内にあるノズルから液滴を吐出させる。
【００３８】
このように、液滴吐出ヘッドの湾曲量が大きくなるときだけ、印字制御手段が液滴を吐出させるノズルを制御するため無駄がない。
【００３９】
本発明の請求項１０に係る液滴吐出装置は、請求項１乃至８何れか１項記載において、前記液滴吐出ヘッドの温度が規定値以上になったとき、前記湾曲量取得手段が前記液滴吐出ヘッドの湾曲量を取得して、前記印字制御手段が前記基準領域内にある前記ノズルから液滴を吐出させることを特徴とする。
【００４０】
上記構成によれば、湾曲量手段は、液滴吐出ヘッドの温度が規定値以上になったとき、各液滴吐出ヘッドの湾曲量を取得して、印字制御手段が基準領域内にあるノズルから液滴を吐出させる。
【００４１】
このように、液滴吐出ヘッドの湾曲量が大きくなるときだけ、印字制御手段が液滴を吐出させるノズルを制御するため無駄がない。
【００４２】
本発明の請求項１１に係る液滴吐出装置は、請求項４乃至８何れか１項記載において、印字枚数が規定値以上になったとき、前記湾曲量取得手段が前記液滴吐出ヘッドの湾曲量を取得して、前記印字制御手段が前記基準領域内にある前記ノズルから液滴を吐出させることを特徴とする。
【００４３】
上記構成によれば、湾曲量取得手段は、印字枚数が規定値以上になったとき、各液滴吐出ヘッドの湾曲量を取得して、印字制御手段が基準領域内にあるノズルから液滴を吐出させる。
【００４４】
つまり、印字枚数が規定値に達すると液滴吐出ヘッドの温度は印字動作により規格以上変化する。このように、液滴吐出ヘッドの温度が規格値を超えて変化する毎に、印字制御手段が液滴を吐出させるノズルを制御するため無駄がない。
【００４５】
本発明の請求項１２に係る液滴吐出装置は、請求項４乃至８何れか１項記載において、印字毎に、前記湾曲量取得手段が前記液滴吐出ヘッドの湾曲量を取得して、前記印字制御手段が前記基準領域内にある前記ノズルから液滴を吐出させることを特徴とする。
【００４６】
上記構成によれば、湾曲量取得手段は、印字毎に、各液滴吐出ヘッドの湾曲量を取得して、印字制御手段が基準領域内にあるノズルから液滴を吐出させる。
【００４７】
このように、常に湾曲量取得手段が液滴吐出ヘッドの湾曲量を取得するため、最新の液滴吐出ヘッドの湾曲量に基づいて印字制御手段が液滴を吐出させるノズルを制御することができる。
【００４８】
本発明の請求項１３に係る液滴吐出装置は、請求項１乃至１２何れか１項に記載において、前記湾曲量取得手段は、前記液滴吐出ヘッドの周囲の環境温度と前記液滴吐出ヘッドの湾曲量とを関連付けた第１湾曲量変換テーブルと、温度センサによって測定された前記液滴吐出ヘッドの周囲の環境温度と、によって前記液滴吐出ヘッドの湾曲量を取得することを特徴とする。
【００４９】
上記構成によれば、湾曲量取得手段が、液滴吐出ヘッドの周囲の環境温度と液滴吐出ヘッドの湾曲量とを関連付けた第１湾曲量変換テーブルと、温度センサによって測定された各液滴吐出ヘッドの周囲の環境温度によって各液滴吐出ヘッドの湾曲量を取得する。
【００５０】
このように、液滴吐出ヘッドの周辺の環境温度を用いて、簡単に各液滴吐出ヘッドの湾曲量を取得することができる。
【００５１】
本発明の請求項１４に係る液滴吐出装置は、請求項１乃至１２何れか１項に記載において、前記湾曲量取得手段は、前記液滴吐出ヘッドの温度と前記液滴吐出ヘッドの湾曲量を関連付けた第２湾曲量変換テーブルと、温度センサによって測定された前記液滴吐出ヘッドの温度と、によって前記液滴吐出ヘッドの湾曲量を取得することを特徴とする。
【００５２】
上記構成によれば、湾曲量取得手段は、液滴吐出ヘッドの温度と液滴吐出ヘッドの湾曲量とを関連付けた第２湾曲量変換テーブルと、温度センサによって測定された各液滴吐出ヘッドの温度によって各液滴吐出ヘッドの湾曲量を取得する。
【００５３】
このように、液滴吐出ヘッドの温度を用いて、簡単に各液滴吐出ヘッドの湾曲量を取得することができる。
【００５４】
本発明の請求項１５に係る液滴吐出装置は、請求項４乃至１２何れか１項に記載において、前記湾曲量取得手段は、印字データと前記液滴吐出ヘッドの湾曲量を関連付けた第３湾曲量変換テーブルと、画像データから生成される印字データと、によって前記液滴吐出ヘッドの湾曲量を取得することを特徴とする。
【００５５】
上記構成によれば、湾曲量取得手段は、印字データと液滴吐出ヘッドの湾曲量とを関連付けた第３湾曲量変換テーブルと、画像から生成される印字データによって液滴吐出ヘッドの湾曲量を取得する。
【００５６】
つまり、印字データが多いときは、液滴吐出ヘッドの作動量が多いため、温度が上昇すると予測し、印字データが少ないときは、液滴吐出ヘッドの作動量が少ないため、温度があまり上昇しないと予測する。このように、温度を測定することなく液滴吐出ヘッドの湾曲量を取得することができる。
【００５７】
本発明の請求項１６に係る液滴吐出装置は、請求項１乃至１２何れか１項に記載において、前記湾曲量取得手段は、前記液滴吐出ヘッドの上下面の伸縮量又は撓み量を検出する第１検出器の検出信号に基づいて前記液滴吐出ヘッドの湾曲量を取得することを特徴とする。
【００５８】
上記構成によれば、湾曲量取得手段は、液滴吐出ヘッドの上下面の伸縮量又は撓み量を検出する第１検出器の検出信号に基づいて液滴吐出ヘッドの湾曲量を取得する。
【００５９】
このように、直接液滴吐出ヘッドの上下面の伸縮量又は撓み量を検出することで精度良く各液滴吐出ヘッドの湾曲量を取得することができる。
【００６０】
本発明の請求項１７に係る液滴吐出装置は、請求項１乃至１２何れか１項に記載において、前記湾曲量取得手段は、前記ノズルから前記液滴吐出対象物に吐出された液滴の位置を検出する第２検出器の検出信号に基づいて前記液滴吐出ヘッドの湾曲量を取得することを特徴とする。
【００６１】
上記構成によれば、湾曲量取得手段は、ノズルから液滴吐出対象物に吐出された液滴の位置を検出する第２検出器の検出信号に基づいて各液滴吐出ヘッドの湾曲量を取得する。既に、シート材の位置を検知するレジストレーション検出用の検知手段が設けられている場合は、これを第２検出器として所定のテストパターンに着弾させた液滴の位置を検出してそのずれ量から各液滴吐出ヘッドの湾曲量を取得することができる。
【００６２】
本発明の請求項１８に係る画像形成装置は、請求項１乃至１７何れか１項に記載された液滴吐出装置が設けられたことを特徴とする。
【００６３】
上記構成によれば、画像形成装置には、請求項１乃至１７何れか１項に記載された液滴吐出装置が設けられているため、印字ずれを防止して高画質な出力画像を得ることができる。
【発明の効果】
【００６４】
本発明によれば、各液滴吐出ヘッドの湾曲量の違いによって発生する液滴の吐出領域のずれを是正することができる。
【発明を実施するための最良の形態】
【００６５】
本発明の第１実施形態に係る液滴吐出装置が採用された画像形成装置の実施形態を図１〜図９に従って説明する。
【００６６】
図９には、本実施形態に係る画像形成装置であるＦＷＡ（Ｆｕｌｌ  Ｗｉｄｔｈ  Ａｒｒａｙ）型インクジェットプリンタ（以下、単に「プリンタ」という）１１２の構成が概略的に示されている。
【００６７】
このプリンタ１１２の筐体１１４内の下部には給紙トレイ１１６が備えられており、給紙トレイ１１６内に積層されたシート材Ｐをピックアップロール１１８で１枚ずつ取り出すことができる。取り出されたシート材Ｐは、所定の搬送経路１２２を構成する複数の搬送ローラ１２０で搬送される。以下、単に「搬送方向」というときは、シート材Ｐの搬送方向をいい、「上流」、「下流」というときはそれぞれ、搬送方向の上流及び下流を意味するものとする。
【００６８】
給紙トレイ１１６の上方には、駆動ロール１２４及び従動ロール１２６に張架された無端状の搬送ベルト１２８が配置されている。搬送ベルト１２８の上方には液滴吐出装置１３０が配置されており、搬送ベルト１２８の平坦部分１２８Ｆに対向している。この対向した領域が、液滴吐出装置１３０から液滴が吐出される吐出領域ＳＥとなっている。搬送経路１２２に沿って搬送されたシート材Ｐは、搬送ベルト１２８で保持されてこの吐出領域ＳＥに至り、液滴吐出装置１３０に対向した位置で、液滴吐出装置１３０からインク滴が吐出される。
【００６９】
そして、シート材Ｐを搬送ベルト１２８で保持した状態で周回させることで、吐出領域ＳＥ内に複数回通過させて、いわゆるマルチパスによる画像記録を行うことも可能となっている。もちろん、シート材Ｐを吐出領域ＳＥ内に１回のみ通過させて、いわゆる１パスで画像記録を行っても良い。
【００７０】
液滴吐出装置１３０は、本実施形態では、有効な記録領域がシート材Ｐの幅（搬送方向と直交する方向の長さ）以上とされた長尺物で、いわゆるＦＷＡ（Ｆｕｌｌ  Ｗｉｄｔｈ  Ａｒｒａｙ）となっている。液滴吐出装置１３０内には、イエロー（Ｙ）、マゼンタ（Ｍ）、シアン（Ｃ）、及びブラック（Ｋ）の４色それぞれに対応した４つの液滴吐出ヘッド１３２が搬送方向に沿って並列に配置されており、フルカラー画像を記録することができる。なお、それぞれの液滴吐出ヘッド１３２においてインク滴を吐出する方法は特に限定されず、いわゆるサーマル方式や圧電方式等、公知のものを適用できる。
【００７１】
また、液滴吐出装置１３０は、搬送方向と直交する方向に不動とされていてもよいが、必要に応じて移動するように構成しておくと、マルチパスによる画像記録で、より解像度の高い画像を記録できる。
【００７２】
また、液滴吐出装置１３０の上流側には、図示しない電源が接続された帯電ロール１３６が配置されている。帯電ロール１３６は、従動ロール１２６との間で搬送ベルト１２８及びシート材Ｐを挟みながら従動回転し、シート材Ｐを搬送ベルト１２８に押圧する押圧位置と、搬送ベルト１２８から離間した離間位置との間を移動可能とされている。押圧位置では、接地された従動ロール１２６との間に所定の電位差が生じるため、シート材Ｐに電荷を与えて搬送ベルト１２８にシート材Ｐを静電吸着させることができる。なお、電源は、シート材Ｐを所定電位に帯電させることが可能であれば、直流電源でも交流電源でもよい。
【００７３】
また、帯電ロール１３６よりもさらに上流側には、図示しないレジロールが設けられており、シート材Ｐが搬送ベルト１２８と帯電ロール１３６との間に至る前にシート材Ｐの位置及び搬送タイミングが調整されている。
【００７４】
液滴吐出装置１３０の下流側には、剥離プレート１４０が配置されており、シート材Ｐを搬送ベルト１２８から剥離することができる。
【００７５】
剥離されたシート材Ｐは、剥離プレート１４０の下流側で排出経路１４４を構成する複数の排出ローラ１４２で搬送され、筐体１１４の上部に設けられた排紙トレイ１４６に排出される。
【００７６】
さらに、剥離プレート１４０の下方には、駆動ロール１２４との間で搬送ベルト１２８を挟持するクリーニングロール１４８が配置されており、搬送ベルト１２８の表面をクリーニングする構成となっている。
【００７７】
また、給紙トレイ１１６と搬送ベルト１２８の間には、複数の反転用ローラ１５０で構成された反転経路１５２が設けられており、片面に画像記録されたシート材Ｐを反転させて搬送ベルト１２８に保持させることで、シート材Ｐの両面への画像記録を形成するようになっている。
【００７８】
搬送ベルト１２８と排紙トレイ１４６の間には、４色の各インクをそれぞれ貯留するインクタンク１５４が設けられている。インクタンク１５４のインクは、図示しないインク供給配管によって、液滴吐出装置１３０に供給される。インクとしては、水性インク、油性インク、溶剤系インク等、公知の各種インクを使用できる。
【００７９】
以上の構成によって、図９に示されるように、プリンタ１１２では、給紙トレイ１１６から取り出されたシート材Ｐが搬送ローラ１２０によって搬送経路１２２に沿って搬送され、搬送ベルト１２８に至る。さらに、シート材Ｐは帯電ロール１３６によって搬送ベルト１２８に押し付けられ、帯電ロール１３６からの印加電圧によって搬送ベルト１２８に吸着（密着）されて保持される。この状態で、搬送ベルトの循環によってシート材Ｐが吐出領域ＳＥを通過しつつ、液滴吐出装置１３０の液滴吐出ヘッド１３２にもうけられたノズルからインク滴が吐出されて、シート材Ｐ上に画像が記録される。１パスのみで画像記録する場合には、剥離プレート１４０でシート材Ｐを搬送ベルト１２８から剥離し、排出ローラ１４２で搬送して排紙トレイ１４６に排出する。これに対し、マルチパスで画像記録を行う場合には、必要な回数に達するまでシート材Ｐを周回させて吐出領域ＳＥを通過させた後、剥離プレート１４０でシート材Ｐを搬送ベルト１２８から剥離し、排出ローラ１４２で搬送して排紙トレイ１４６に排出する。
【００８０】
次に液滴吐出ヘッド１３２について説明する。
【００８１】
図８に示されるように、液滴吐出ヘッド１３２は、本体フレームに固定された長方形の枠体１５６に支持されている。
【００８２】
枠体１５６の長辺１５８の長手方向は、シート材Ｐの搬送方向と直交する方向に配置され、枠体１５６は、搬送ベルト１２８（図９参照）の平坦部分１２８Ｆと対向するように配置されている。
【００８３】
また、枠体１５６の短辺１６０の下面には、固定支承としてのブロック状の固定支持部材１６４が対向する両方の短辺１６０に取り付けられている。そして、これらの固定支持部材１６４の下面側に、これらの間を掛け渡すと共に液滴吐出ヘッド１３２を構成する長尺部材１６８が設けられている。また、この長尺部材１６８の下面には、複数のヘッドユニット１７８が取り付けられている。
【００８４】
詳細には、図７に示されるように、長尺部材１６８には、長手方向に沿って複数のヘッド取付部１７６が形成されており、このヘッド取付部１７６に、複数のヘッドユニット１７８が列状に取り付けられている。さらに、ヘッドユニット１７８には、印字データに基づいてインク滴を吐出させるノズル（図示省略）がシート材Ｐと対向するノズル面１７８Ａに複数設けられている。
【００８５】
また、ヘッドユニット１７８のそれぞれは、単体でシート材Ｐの紙幅を有していないが、複数のヘッドユニット１７８をシート材幅方向に並べて列状に配列することで、シート材幅以上の画像記録領域を得られるようになっている。すなわち、液滴吐出ヘッド１３２がシート材Ｐの幅方向に沿って移動しなくても、シート材Ｐの移動のみによってシート材Ｐの全面に画像が形成できるので、高い生産性を得ることができる。
【００８６】
また、この液滴吐出ヘッド１３２の両端１６８Ａは、固定支持部材１６４に設けられたネジ孔１６４Ｈからネジ１７０を締め込むことで固定支持部材１６４に固定される。
【００８７】
このように液滴吐出ヘッド１３２の両端１６８Ａが固定されているため、環境温度が変化すると、液滴吐出ヘッド１３２のノズル面１７８Ａは、両方の固定端を基準に図６（Ａ）に示すように、シート材Ｐ搬送方向から見て下側に凸状に湾曲するか、又は図６（Ｂ）に示すように、上側に凸状に湾曲し、ノズルから吐出されるインク滴のシート材Ｐ幅方向の吐出領域が変わる。
【００８８】
さらに、シート材Ｐの搬送方向と直交する方向から見ると図５（Ａ）に示すように、ノズル面１７８Ａが下側に凸状に湾曲するか、又は図５（Ｂ）に示すように、上側に凸状に湾曲し、ノズルから吐出されるインク滴のシート材Ｐ搬送方向の吐出領域が変わる。
【００８９】
なお、図５、図６については、湾曲している状態を示すため、変形量を大きく記載している。
【００９０】
ここで、熱変形によって各色の液滴吐出ヘッド１３２が湾曲することで発生する印字ずれについて説明する。
【００９１】
図９に示されるように、液滴吐出装置１３０は、イエロー、マゼンタ、シアン、ブラックの各色に対応する液滴吐出ヘッド１３２Ｙ、１３２Ｍ、１３２Ｃ、１３２Ｋを備えている。前述したように、各液滴吐出ヘッド１３２の長手方向は、シート材Ｐの搬送方向と直交する方向に配置されており、環境温度の変化によって各色の液滴吐出ヘッド１３２が熱変形する。
【００９２】
図４に示されるように、液滴吐出ヘッド１３２Ｙ、１３２Ｍ、１３２Ｃ、１３２Ｋは、シート材Ｐ搬送方向から見て固定された両端１６８Ａを基準に上側に凸状又は下側に凸状に湾曲する。ここで、中央部での変位量をシート材Ｐ搬送方向から見た湾曲量ＰＷ１とすると、各色の液滴吐出ヘッド１３２の湾曲量が違うことで、ノズル面１７８Ａのノズルから吐出されるインク滴の吐出領域が各色で変わることが分かる。
【００９３】
また、図５に示されるように、シート材Ｐ搬送方向に対し直交方向から見て中央部での変位量を湾曲量ＰＷ２とすると、ノズル面１７８Ａのノズルから吐出されるインク滴の吐出領域が各色で変わることもある。
【００９４】
つまり、ノズルから吐出されるインク滴の吐出方向が各液滴吐出ヘッド１３２間で変わってしまい、さらに、ノズル間ピッチが各色の液滴吐出ヘッド１３２間で微妙にずれることで吐出領域が各色で変わってしまう。
【００９５】
このように、ノズルからのインク滴の吐出方向の変化やノズル間ピッチずれにより、吐出領域に差が生じ、印字ずれが発生する。
【００９６】
そこで、液滴吐出装置１３０内に設けられた液滴吐出ヘッド１３２の湾曲量を取得する湾曲量取得部８０と、印字データを作成し、さらに補正をかける印字制御部８２（図９参照）が、図１に示すフローに従って印字ずれを補正する。
【００９７】
はじめに、ステップ２００でオペレータが印刷指示を出し、ステップ２０２へ移行し、ステップ２０２で、記録ヘッド制御部９０内に設けられた画像入力部９０Ｂ（図９参照）に画像データが入力される。次にステップ２０４に移行して、印字制御部８２（図９参照）によって、画像データから印字データが作成されステップ２０６へ移行する。
【００９８】
ステップ２０６では、液滴吐出ヘッド１３２の近傍に設けられた温度センサ１３４によって測定された液滴吐出ヘッド１３２の周辺温度が規定値以上か否かを湾曲量取得部８０で判断する。
【００９９】
規定値以上の場合は、ステップ２０８へ移行し、湾曲量取得部８０が、液滴吐出ヘッド１３２の周囲の環境温度と液滴吐出ヘッド１３２の湾曲量とを関連付けた第１湾曲量変換テーブルから各液滴吐出ヘッド１３２のシート材Ｐ搬送方向の湾曲量と、シート材Ｐ搬送方向と直交する方向の湾曲量を取得する。つまり、第１湾曲量変換テーブルは、各環境温度に対応する夫々の湾曲量が記載された表であって、これにより、温度センサ１３４から取得した環境温度に基づいて湾曲量を取得することができる。
【０１００】
次に、ステップ３００では、ステップ２０８で取得したシート材Ｐ搬送方向の湾曲量に基づいて算出された最小の吐出領域を基準領域として決定する。
【０１０１】
上方へ凸状に湾曲した液滴吐出ヘッド１３２の吐出領域が最小の吐出領域となる。つまり、図３（Ａ）に示されるように、最小となる吐出領域を基準領域として決定する。なお、基準領域（図中Ｓ範囲）を決定するのは、シート材Ｐ搬送方向から見た吐出領域に対してである。
【０１０２】
次に、ステップ３０２に移行し、印字制御部８２が印字データに補正をかける。
【０１０３】
先ず、基準領域内にある他の液滴吐出ヘッド１３２のノズルからインク滴を吐出させ、さらに、印字ずれを是正するため、ノズルからのインク滴の吐出方向の変化及びノズル間ピッチずれに基づいて基準領域を算出する際に用いた液滴吐出ヘッド１３２以外の液滴吐出ヘッド１３２の解像度を下げる。
【０１０４】
図２に示されるように、例えば「山」という文字を印字する場合に、図２（Ａ）に示される「山」を基準領域に印字される「山」とする。これに対し、図３（Ｃ）に示されるように下方へ凸状に湾曲した液滴吐出ヘッド１３２の「山」は、図２（Ｂ）に示されるように、長手方向（Ｅ方向）に伸びて印字される。このような場合に、図２（Ｂ）の「山」の解像度を下げて図２（Ｃ）に示す「山」に補正することで文字の大きさを合わせて印字ずれをなくすことができる。なお、図２に示す○はインク滴のシート材Ｐ着弾位置をノズル位置と対応させて模式図的に表したものである。
【０１０５】
また、図３（Ａ）に示されるように、シート材Ｐの単位面積当りに吐出されるインク滴が多い場合は、全体的にインク滴の滴径を小さくし、また、逆に図３（Ｃ）に示されるように、インク滴を吐出させるノズルの数が少ない場合は、全体的にインク滴の滴径を大きくする。
【０１０６】
さらに、図３（Ａ）（Ｃ）に示されるように、同一液滴吐出ヘッド１３２内でもインク滴の疎密を考慮し、密の場合は、液滴吐出ヘッド１３２の外側にあるノズルから吐出するインク滴の滴径を小さくし、逆に疎の場合は、液滴吐出ヘッド１３２の外側にあるノズルから吐出するインク滴の滴径を大きくする。
【０１０７】
これにより、単位面積当りのインク量を均一化して狙いどおりの色合いを印字することができる。
【０１０８】
さらに、図４、図５に示されるように、液滴吐出ヘッド１３２が湾曲することでノズルからシート材Ｐまでの距離および吐出方向が変わる。つまり、図５（Ａ）に示すように、下方に凸状に変形している場合は、液滴吐出ヘッド１３２の中央部とシート材Ｐまでの距離が近くなる。また、図５（Ｂ）に示すように、上方に凸状に変形している場合は、液滴吐出ヘッド１３２の中央部とシート材Ｐまでの距離が遠くなる。また、中央部以外では距離の他に吐出方向も変化する。そこで、液滴吐出ヘッド１３２に印加する駆動波形のタイミングを変えてノズルから吐出されるインク滴の吐出タイミングを変える。これにより、確実に、印字ずれを防止することができる。
【０１０９】
印字データの補正が終了するとステップ３０４へ移行して印刷を開始する。また、ステップ２０６で規定値以下の場合もステップ３０４に移行して印刷を開始する。
【０１１０】
このように、各液滴吐出ヘッド１３２の湾曲量に応じて印字データを補正することで、吐出領域のずれを是正し、さらに印字ずれをなくすことができる。
【０１１１】
なお、本発明はかかる実施形態に限定されるものではなく、本発明の範囲内にて他の種々の実施形態が可能であることは当業者にとって明らかである。例えば、上記実施形態では、液滴吐出ヘッド１３２の周辺の環境温度が規定値以上になったときに、印字データに補正をかけたが、温度センサを用いて液滴吐出ヘッド１３２の温度を測定し、液滴吐出ヘッドの温度が規定値以上になったとき、又は、カウンターで連続印字枚数をカウントして印字枚数が規定値以上になったときに印字データに補正をかけてもよい。
【０１１２】
また、上記実施形態では、湾曲量取得部８０によって取得された各湾曲量に基づいて算出された最小の吐出領域を基準領域としたが、作動保証温度内での予め決められた最小の吐出領域を基準領域としてもよい。
【０１１３】
また、上記実施形態では、各液滴吐出ヘッド１３２のシート材Ｐ搬送方向の湾曲量とシート材Ｐ搬送方向と直交する方向の湾曲量を取得して印字データに補正をかけたが、どちらか一方の湾曲量を取得して印字データに補正をかけてもよい。
【０１１４】
次に、第２実施形態に係るプリンタ１１２について説明する。
【０１１５】
なお、第１実施形態と同一部材については、同一符号を付してその説明を省略する。
【０１１６】
この実施形態では、湾曲量取得部８０は、液滴吐出ヘッド１３２の温度と液滴吐出ヘッド１３２の湾曲量とを関連付けた第２湾曲量変換テーブルを用いて、熱電対によって測定された各液滴吐出ヘッド１３２の温度によって各液滴吐出ヘッド１３２の湾曲量を取得する。
【０１１７】
このように、液滴吐出ヘッド１３２の温度を用いて簡単に各液滴吐出ヘッド１３２の湾曲量を取得することができる。
【０１１８】
次に、第３実施形態に係るプリンタ１１２について説明する。
【０１１９】
なお、第１実施形態と同一部材については、同一符号を付してその説明を省略する。
【０１２０】
この実施形態では、湾曲量取得部８０は、印字データと液滴吐出ヘッド１３２の湾曲量とを関連付けた第３湾曲量変換テーブルを用いて、画像を生成する印字データから各液滴吐出ヘッド１３２の湾曲量を取得する。
【０１２１】
つまり、印字データが多いときは、液滴吐出ヘッド１３２の作動量が多いため、温度が上昇すると予測し、印字データが少ないときは、液滴吐出ヘッド１３２の作動量が少ないため、温度があまり上昇しないと予測する。このように、温度を測定することなく各液滴吐出ヘッド１３２の湾曲量を取得することができる。
【０１２２】
次に、第４実施形態に係るプリンタ１１２について図１０に従って説明する。
【０１２３】
なお、第１実施形態と同一部材については、同一符号を付してその説明を省略する。
【０１２４】
この実施形態では、液滴吐出ヘッド１３２の長尺部材１６８に第１検出器としての歪センサ１３８が貼付けられており、歪センサ１３８が検出した歪信号に基づいて湾曲量取得部８０が液滴吐出ヘッド１３２の湾曲量を取得する。
【０１２５】
このように、ノズル面１７８Ａに貼り付けられた歪センサの歪信号によって直接湾曲量を取得するため、精度良い湾曲量を取得することができる。
【０１２６】
次に、第５実施形態に係るプリンタ１１２について図１１に従って説明する。
【０１２７】
なお、第１実施形態と同一部材については、同一符号を付してその説明を省略する。
【０１２８】
この実施形態では、第２検出器１１０が所定のテストパターンに着弾させた液滴の位置を検出し、この検出信号に基づいて、湾曲量取得部８０は各液滴吐出ヘッドの湾曲量を取得する。つまり、液滴吐出ヘッド１３２が湾曲していない時は、テストパターン上にインク滴が着弾し、液滴吐出ヘッド１３２が、上方又は下方に凸状に湾曲しているときは、テストパターン上からずれてインク滴が着弾するため、このずれ量に基づいて湾曲量を取得する。
【０１２９】
既に、レジストレーション検出用の検知手段が設けられている場合は、これを第２検出器１１０として液滴の位置を検出してそのずれ量から各液滴吐出ヘッドの湾曲量を取得することができる。
【０１３０】
次に、第６実施形態に係るプリンタ１１２について図１２に従って説明する。
【０１３１】
なお、第１実施形態と同一部材については、同一符号を付してその説明を省略する。
【０１３２】
この実施形態では、図１２に示されるように、印字制御部８２は、液滴吐出ヘッド１３２に印加する駆動波形を変えることで、ノズルから吐出される主インク滴に付随させて微小滴９２を吐出させる。  つまり、主インク滴が着弾した回りに付随させて微小滴９２を吐出させることで縁部の輪郭がぼけるのを防ぐことができる。
【図面の簡単な説明】
【０１３３】
【図１】本発明の第１実施形態に係る画像形成装置の印字データの補正手順を示したフロー図である。
【図２】（Ａ）本発明の第１実施形態に係る基準領域のインク滴を概念的に示した模式図である。（Ｂ）本発明の第１実施形態に係るノズルから吐出されたインク滴を示し、熱変形で延びた状態でのインク滴の着弾位置を表した模式図である。（Ｃ）本発明の第１実施形態に係るノズルから吐出されるインク滴を示し、熱変形の景況を補正した後のインク滴の着弾位置を表した模式図である。
【図３】（Ａ）本発明の第１実施形態に係る液滴吐出ヘッドを示し、上側に凸状に変形した状態でノズルから吐出されるインク滴を示した模式図である。（Ｂ）本発明の第１実施形態に係る液滴吐出ヘッドを示し、熱変形しない状態でノズルから吐出されるインク滴を示した模式図である。（Ｃ）本発明の第１実施形態に係る液滴吐出ヘッドを示し、下側に凸状に変形した状態でノズルから吐出されるインク滴を示した模式図である。
【図４】（Ａ）（Ｂ）（Ｃ）（Ｄ）本発明の第１実施形態に係る液滴吐出ヘッドのシート材搬送方向の熱変形による湾曲量を示した模式図である。
【図５】（Ａ）（Ｂ）（Ｃ）（Ｄ）本発明の第１実施形態に係る液滴吐出ヘッドのシート材搬送方向に対し直交する方向の熱変形による湾曲量を示した模式図である。
【図６】（Ａ）（Ｂ）本発明の第１実施形態に係る液滴吐出ヘッドの熱変形を示した斜視図である。
【図７】本発明の第１実施形態に係る液滴吐出ヘッドを示した分解斜視図である。
【図８】本発明の第１実施形態に係る液滴吐出ヘッドを示した斜視図である。
【図９】本発明の第１実施形態に係る画像形成装置を示した概略構成図である。
【図１０】（Ａ）（Ｂ）本発明の第４実施形態に係る液滴吐出ヘッドの熱変形を示した斜視図である。
【図１１】本発明の第５実施形態に係る画像形成装置を示した概略構成図である。
【図１２】本発明の第６実施形態に係る液滴吐出ヘッドを示し、上側に凸状に変形した状態でノズルから吐出されるインク滴を示した模式図である。
【符号の説明】
【０１３４】
８０        湾曲量取得部（湾曲量取得手段）
８２        印字制御部（印字制御手段）
９２        微小滴
１１０      第２検出器
１１２      プリンタ（画像形成装置）
１３０      液滴吐出装置
１３２      液滴吐出ヘッド
１３４      温度センサ
１３６      帯電ロール
１３８      歪センサ（第１検出器）
１６４      固定支持部材（固定支承）
１７８Ａ    ノズル面
１７８      ヘッドユニット
【図１】
2008062391.tif 000003
【図２】
2008062391.tif 000004
【図３】
2008062391.tif 000005
【図４】
2008062391.tif 000006
【図５】
2008062391.tif 000007
【図６】
2008062391.tif 000008
【図７】
2008062391.tif 000009
【図８】
2008062391.tif 000010
【図９】
2008062391.tif 000011
【図１０】
2008062391.tif 000012
【図１１】
2008062391.tif 000013
【図１２】
2008062391.tif 000014